(57)【要約】      （修正有）【課題】除雪作業の作業効率アップと、適切な構造をもって体力を大幅に軽減をする。【解決手段】スノーダンプの内面三方に、スカートを着脱するためのスカート取り付け用開口溝２を設ける。スノーダンプ用スカートＩＩ４にはスカート差込部６を設ける。また、スノーダンプ用スカートＩＩ４には折り曲げ可能なフレキシブル部５を設け、スノーダンプに容易に取り付け可能とした。又、フレーム３は適切な長さと角度をもたせた。除雪の状況にあわせてスノーダンプ１のスカート取り付け用開口溝２に、スノーダンプ用スカートＩＩ４のスカート差込部６を差込み、スノーダンプ用スカートＩＩ４をスノーダンプ１に取り付ける。【選択図】図２
0003115706.tif 000002
【実用新案登録請求の範囲】
【請求項１】
嵩上げにスカートを使用し、一回のスノーダンプの運搬量を多くすることができるスノーダンプ及びスノーダンプ用スカートＩＩである。
【請求項２】
湿った雪、粉雪など雪質にあわせて簡単に取り付け、取り外しができる構造としたスノーダンプ及びスノーダンプ用スカートＩＩである。
【請求項３】
適切なフレームの長さ、角度の構造をもって、除雪にたずさわる人の体力の軽減を図ったスノーダンプ及びスノーダンプ用スカートＩＩである。
【考案の詳細な説明】
【技術分野】
【０００１】  本考案はスノーダンプを用いて除雪する際に、一回の運搬量を多くすることにより除雪作業の作業能率向上に関するものである。
【背景技術】
【０００２】  スノーダンプは積雪地域における除雪用道具として幅広く実用に供されている。
実用のスノーダンプは一回の雪をすくう量が限られており、降雪量によっては運搬回数が多くなり非効率的で、又、実用品のフレームは雪をすくい入れる時と運搬時にフレームの長さが短く腰をかがめて腕の力だけを必要以上に使い体力を消耗した。【０００３】  この改善策として、スノーダンプを嵩上げすることにより一回の運搬量を増やす方法とフレームを腰の高さまで延長することと、適切な角度により、フレームをお腹に当てて作業する事が出来、身体全体の力を集中させ無理なく効率的に使用する方法がある。
【特許文献１】特開２００２−３３２６１９
【実用新案登録】
登録３１０４８９５
【考案の開示】
【考案が解決しようとする課題】
【０００４】  解決しようとする問題点は、スノーダンプを用いて一回の雪のすくう量を多くして、運搬量を多くすることである。また、雪質によっては運搬量が多くなると重くなり多大なる労力が必要となる。
除雪の際の雪質などによって必要とする目的に応じた作業に対して一種類の補助具で可能とする等。
【課題を解決するための手段】
【０００５】  本スノーダンプ及びスノーダンプ用スカートＩＩはスノーダンプの嵩上げに用い、一回の運搬量を増やすことを可能とする。また、除雪の際の雪質により簡単に取り付け、取り外しができ、適切なフレームの長さと角度をもって除雪作業時間の大幅な短縮と、労力の軽減を大幅に図ることを最も主要な特徴とする。
【考案の効果】
【０００６】  本考案のスノーダンプ及びスノーダンプ用スカートＩＩは除雪時の状況により、スノーダンプ用スカーＩＩを簡単に取り付け、取り外しが可能で、また、フレキシブル等の構造としスノーダンプに容易に着脱が可能で有り、女性、高齢者においても取り扱いが簡単にでき、目的に応じて一種類の補助具で可能とする
利点がある。
【考案を実施するための最良の形態】
【０００７】  除雪の際に本考案のスノーダンプ及びスノーダンプ用スカートＩＩを用いることにより、一回の運搬量を多くすることができることと、除雪作業の向上を図る目的を、除雪にたずさわる人の体力に合わせ着脱でき、操作性を損なわずに実現した。
【実施例】
【０００８】  本考案に係るスノーダンプ及びスノーダンプ用スカートＩＩの構成を図面に示す実施例について説明する。
図１に示すようにスノーダンプの内面三方に、スカートを着脱するためのスカート取り付け用開口溝２を設ける。
スノーダンプ用スカートＩＩ４にはスカート差込部６を設ける。また、スノーダンプ用スカートＩＩ４には折り曲げ可能なフレキシブル部５を設け、スノーダンプに容易に取り付け可能とした。又、フレーム３は適切な長さと角度をもたせた。
除雪の状況にあわせてスノーダンプ１のスカート取り付け用開口溝２に、スノーダンプ用スカートＩＩ４のスカート差込部６を差込み、スノーダンプ用スカートＩＩ４をスノーダンプ１に取り付ける。
【産業上の利用可能性】
【０００９】  除雪の状況に応じて、簡単に取り付け、取り外しができ、女性、高齢者の体力にあわせて使用することができ、大幅な作業効率を図ることができる。
【図面の簡単な説明】
【００１０】
【図１】本考案のスノーダンプ及びスノーダンプ用スカートＩＩ示す斜視図である。（実施例１）
【図２】本考案のスノーダンプ及びスノーダンプ用スカートＩＩの構成を示す斜視図である。（実施例２）
【図３】本考案のスノーダンプ用スカートＩＩを示す正面図である。（実施例３）
【符号の説明】
【００１１】  １  スノーダンプ
２  スカート取り付け用開口溝
３  フレーム
４  スノーダンプ用スカートＩＩ
５  フレキシブル部
６  スカート差込部
【図１】
0003115706.tif 000003
【図２】
0003115706.tif 000004
【図３】
0003115706.tif 000005
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
スノーダンプの雪掬い部にスカート取り付け用開口溝を数箇所設け、そのスカート取り付け用開口溝部に差込みができる突起部を設けたスノーダンプ用スカートを取り付けることにより、排雪運搬容量を多くすることができるスノーダンプ。
【請求項２】
スノーダンプ用スカートには雪掬い部のコーナー部の形状に適用できるようフレキシブル等の構造を設け、雪掬い部とスカートの着脱時の調整が容易にできることを特徴とする請求項１記載のスノーダンプ。
【請求項３】
フレームを作業者の腹部で押し付けることができるように長くすると、排雪時の力が分散され作業性が劣る。これを解消するためできるだけ体力の消耗を軽減できるように、また、手を容易に保持しやすくする目的で、フレームに水平部を設け合理的な長さ、複数の角度を付与しコンパクトな構造とした請求項１記載のスノーダンプ。
【手続補正２】
【補正対象書類名】明細書
【補正対象項目名】全文
【補正方法】変更
【補正の内容】
【考案の詳細な説明】
【技術分野】
【０００１】  本考案はスノーダンプを用いて除雪する際に、一回の運搬量を多くすることにより除雪作業の作業能率向上に関するものである。
【背景技術】
【０００２】  スノーダンプは積雪地域における除雪用道具として幅広く実用に供されている。
実用のスノーダンプは一回の雪をすくう量が限られており、降雪量によっては運搬回数が多くなり非効率的で、又、実用品のフレームは雪をすくい入れる時と運搬時にフレームの長さが短く腰をかがめて腕の力だけを必要以上に使い体力を消耗した。【０００３】  この改善策として、スノーダンプを嵩上げすることにより一回の運搬量を増やす方法とフレームを腰の高さまで延長することと、適切な角度により、フレームをお腹に当てて作業する事が出来、身体全体の力を集中させ無理なく効率的に使用する方法がある。
【特許文献１】特開２００２−３３２６１９
【実用新案登録】
登録３１０４８９５
【考案の開示】
【考案が解決しようとする課題】
【０００４】  解決しようとする問題点は、スノーダンプを用いて一回の雪のすくう量を多くして、運搬量を多くすることである。また、雪質によっては運搬量が多くなると重くなり多大なる労力が必要となる。
除雪の際の雪質などによって必要とする目的に応じた作業に対して一種類の補助具で可能とする等。
【課題を解決するための手段】
【０００５】  本スノーダンプはスノーダンプの嵩上げに用い、一回の運搬量を増やすことを可能とする。また、除雪の際の雪質により簡単に取り付け、取り外しができ、適切なフレームの長さと角度をもって除雪作業時間の大幅な短縮と、労力の軽減を大幅に図ることを最も主要な特徴とする。
【考案の効果】
【０００６】  本考案のスノーダンプは除雪時の状況により、スノーダンプ用スカーを簡単に取り付け、取り外しが可能で、また、フレキシブル等の構造としスノーダンプに容易に着脱が可能で有り、女性、高齢者においても取り扱いが簡単にでき、目的に応じて一種類の補助具で可能とする利点がある。
【考案を実施するための最良の形態】
【０００７】  除雪の際に本考案のスノーダンプを用いることにより、一回の運搬量を多くすることができることと、除雪作業の向上を図る目的を、除雪にたずさわる人の体力に合わせ着脱でき、操作性を損なわずに実現した。
【実施例】
【０００８】  本考案に係るスノーダンプの構成を図面に示す実施例について説明する。
図１に示すようにスノーダンプの内面三方に、スカートを着脱するためのスカート取り付け用開口溝２を設ける。
スノーダンプ用スカート４にはスカート差込部６を設ける。また、スノーダンプ用スカート４には折り曲げ可能なフレキシブル部５を設け、スノーダンプに容易に取り付け可能とした。又、フレーム３は適切な長さと角度をもたせた。
除雪の状況にあわせてスノーダンプ１のスカート取り付け用開口溝２に、スノーダンプ用スカート４のスカート差込部６を差込み、スノーダンプ用スカート４をスノーダンプ１に取り付ける。
【産業上の利用可能性】
【０００９】  除雪の状況に応じて、簡単に取り付け、取り外しができ、女性、高齢者の体力にあわせて使用することができ、大幅な作業効率を図ることができる。
【図面の簡単な説明】
【００１０】
【図１】本考案のスノーダンプを示す斜視図である。（実施例１）
【図２】本考案のスノーダンプの構成を示す斜視図である。（実施例２）
【図３】本考案のスノーダンプ用スカートを示す正面図である。（実施例３）
【符号の説明】
【００１１】  １  スノーダンプ
２  スカート取り付け用開口溝
３  フレーム
４  スノーダンプ用スカート
５  フレキシブル部
６  スカート差込部